(57)【要約】      （修正有）【課題】カメラ機能付き携帯情報端末による盗撮を防止するとともに、使用後に携帯情報端末のレンズ部に汚れや疵を残さない包装袋を提供する。【解決手段】当該包装袋は背面２が正面３より上下方向に長く形成された余剰部７を有し、上端が開口６しており、包装袋に携帯情報端末１を納める際に上部の余剰部７が正面３側に折り返され、折り返された余剰部７の背面と正面とを貼り合わせる着脱可能な貼着部８が設けられており、少なくとも携帯情報端末１のレンズ部１２に対応する箇所が半透明又は不透明のシート材によって形成され、かつ携帯情報端末の情報表示画面に対応する箇所が透明の合成樹脂フィルムによって形成されている。更に、撮影機能のみを無効とし、モニターに表示された情報を外部から読み取る事や、通話機能やタッチパネル機能は使用可能な状態とする。【選択図】図２
0003189951.tif 000002
【実用新案登録請求の範囲】
【請求項１】
カメラ機能付き携帯情報端末による盗撮を防止する包装袋であって、当該包装袋は背面が正面より上下方向に長く形成された余剰部を有し、上端が開口しており、前記包装袋に携帯情報端末を納める際に上部の余剰部が正面側に折り返され、折り返された前記余剰部の背面と正面とを貼り合わせる着脱可能な貼着部が設けられており、少なくとも携帯情報端末のレンズ部に対応する箇所が半透明又は不透明のシート材によって形成され、かつ携帯情報端末の情報表示画面に対応する箇所が透明の合成樹脂フィルムによって形成されていることを特徴とするカメラ機能付き携帯情報端末による盗撮防止用包装袋。
【請求項２】
前記包装袋は、正面と背面とが下端で連接しており、両側端が背面における余剰部を除いてサイドシールされていることを特徴とする請求項１に記載されたカメラ機能付き携帯情報端末による盗撮防止用包装袋。
【請求項３】
前記貼着部が、余剰部の裏面に積層された貼着層として形成されていることを特徴とする請求項１又は２に記載されたカメラ機能付き携帯情報端末による盗撮防止用包装袋。
【請求項４】
前記盗撮防止用包装袋は、半透明又は不透明のシート材の表面に一次元又は二次元の情報コードが付されていることを特徴とする請求項１乃至３のいずれか一に記載されたカメラ機能付き携帯情報端末による盗撮防止用包装袋。
【請求項５】
前記貼着部は、剥離した際に正面に糊跡が残るような材料で形成されていることを特徴とする請求項１乃至４のいずれか一に記載されたカメラ機能付き携帯情報端末による盗撮防止用包装袋。
【考案の詳細な説明】
【技術分野】
【０００１】
美術館、展示場、企業内工場、研究所、コンサートホール、映画館、書店、病院等における、カメラ機能付き携帯情報端末を使用した盗撮を防止する盗撮防止用包装袋を提供する。特に使用の際にカメラ機能付き携帯情報端末に糊跡や疵跡を残さない盗撮防止用包装体を提供する。
【背景技術】
【０００２】
近年の携帯情報端末、すなわち携帯電話機、スマートフォン、ＰＤＡ等には、高解像度の写真又は動画撮影機能が備えられているものが増加している。又、これらの機能を利用して、美術館、展示場、企業内工場、研究所、コンサートホール、映画館、書店、病院等において写真や動画を撮影するといったマナー違反行為は、社会問題となっている。
カメラによる撮影が禁止されている公共の場所における携帯情報端末による盗撮を防止する方法としては、例えば、特許文献１に記載された盗撮防止ラベルが知られている。この盗撮防止ラベルは、携帯電話機のレンズ部分を覆うようにシールを貼り付けて盗撮を防ぐ方法である。
【０００３】
しかし、上記の方法では、撮影をする際にレンズからシールを剥がして、撮影をした後に再度シールを貼り付けることにより、簡単に盗撮防止を回避することができる。又、何らかの方法で改竄防止機能をシールに付加した場合であっても、上記の方法では、カメラのレンズに直接シールを貼り付けるため、レンズに接着剤が付着する場合があり、使用後にレンズの汚れや、場合によっては埃の付着に基づく疵が発生するという問題が生じていた。
更に、近年の携帯電話機やスマートフォンにおいては、マット状の保護シートをレンズ周りに貼り付けているものや、デコレーションを施すことによって、レンズ周りに凹凸が存在するものが増加している。このような保護シートやデコレーションが使われている携帯電話機やスマートフォンには、必ずしもレンズを覆うような上述の盗撮防止ラベルを貼り付けることが困難又は不可能なものがある。
【０００４】
上記の問題点を解決するためには、カメラ機能付き携帯情報端末を袋状のものに納めてしまうことが考えられる。
しかしこの方法では、袋の外側から内部に納められた携帯情報端末を視認することができないことから、携帯電話機の通話機能を使用することが困難となる。又、スマートフォンにおけるタッチパネルディスプレイを用いたインターネットの操作は不可能となる。
そこで本発明者は、従来技術における上記問題点を解決するために、相当の苦労を伴って本発明に係る盗撮防止用包装袋を開発した。
【先行技術文献】
【特許文献】
【０００５】
【特許文献１】特許第３６２９４８８号公報
【考案の概要】
【考案が解決しようとする課題】
【０００６】
本考案は、カメラ機能付き携帯情報端末による盗撮を防止する包装袋を提供することを目的とする。
また本考案は、使用後に携帯情報端末のレンズ部に汚れや疵を残さない盗撮防止用包装袋を提供することを目的とする。
【０００７】
また本考案は、携帯情報端末におけるレンズ位置、保護シールが使用されたり、デコレーションによりレンズ周辺に凹凸のある携帯情報端末にフレキシブルに対応可能な盗撮防止用包装袋を提供することを目的とする。
また本考案は、撮影機能のみを無効とし、モニターに表示された情報を外部から読み取る事や、通話機能やタッチパネル機能は使用可能な状態とする盗撮防止用包装袋を提供することを目的とする。
さらに本考案は、通信機能を低下させる構造を組み込むことができる盗撮防止用包装袋を提供することを目的とする。
【課題を解決するための手段】
【０００８】
本考案者は、上記課題を解決するために以下の構成を採用した。
（１）カメラ機能付き携帯情報端末による盗撮を防止する包装袋であって、当該包装袋は背面が正面より上下方向に長く形成された余剰部を有し、上端が開口しており、前記包装袋に携帯情報端末を納める際に上部の余剰部が正面側に折り返され、折り返された前記余剰部の背面と正面とを貼り合わせる着脱可能な貼着部が設けられており、少なくとも携帯情報端末のレンズ部に対応する箇所が半透明又は不透明のシート材によって形成され、かつ携帯情報端末の情報表示画面に対応する箇所が透明の合成樹脂フィルムによって形成されていることを特徴とするカメラ機能付き携帯情報端末による盗撮防止用包装袋である。
【０００９】
（２）前記包装袋は、正面と背面とが下端で連接しており、両側端が背面における余剰部を除いてサイドシールされていることを特徴とする上記（１）に記載されたカメラ機能付き携帯情報端末による盗撮防止用包装袋である。
（３）前記貼着部が、余剰部の裏面に積層された貼着層として形成されていることを特徴とする上記（１）又は（２）に記載されたカメラ機能付き携帯情報端末による盗撮防止用包装袋である。
【００１０】
（４）前記盗撮防止用包装袋は、半透明又は不透明のシート材の表面に一次元又は二次元の情報コードが付されていることを特徴とする上記（１）乃至（３）のいずれか一に記載されたカメラ機能付き携帯情報端末による盗撮防止用包装袋である。
（５）前記貼着部は、剥離した際に正面に糊跡が残るような材料で形成されていることを特徴とする上記（１）乃至（４）のいずれか一に記載されたカメラ機能付き携帯情報端末による盗撮防止用包装袋である。
【考案の効果】
【００１１】
本考案に係る盗撮防止用包装袋は、カメラ機能付き携帯情報端末による盗撮を防止する効果を奏する。
又、本考案に係る盗撮防止用包装袋は、使用後に携帯情報端末のレンズ部に汚れや疵を残さないという優れた効果を奏する。
【００１２】
又、本考案に係る盗撮防止用包装袋は、携帯情報端末におけるレンズ位置、保護シールが使用されたり、デコレーションによりレンズ周辺に凹凸のある携帯情報端末にフレキシブルに対応することができる。
又、本考案に係る盗撮防止用包装袋は、撮影機能のみを無効とし、モニターに表示された情報を外部から読み取る事や、通話機能やタッチパネル機能は使用可能な状態とする極めて優れた効果を奏する。
更に、本考案に係る盗撮防止用包装袋は、通信機能を低下させる構造を組み込むことも可能である。
【図面の簡単な説明】
【００１３】
【図１】本考案に係る盗撮防止用包装袋を利用する一実施形態を示す斜視図である。
【図２】本考案に係る盗撮防止用包装袋を利用する一実施形態を示す図である。（ａ）は背面図、（ｂ）は（ａ）における（ｂ）−（ｂ）矢視断面図である。
【図３】本考案に係る盗撮防止用包装袋のその他の実施形態を示す斜視図である。
【図４】本考案に係る盗撮防止用包装袋の更に他の実施形態を示す展開図である。
【図５】図４に示した情報コードの使用態様を説明するブロック図である。
【図６】図４に示した情報コードの使用態様を説明するフローチャートである。
【考案を実施するための形態】
【００１４】
以下、本考案に係る盗撮防止用包装袋を利用する実施形態を説明する。以下の説明は、本考案に係る盗撮防止用包装袋の例示であって、本考案を限定するものではない。
本考案に係る盗撮防止用包装袋は、カメラ機能付き携帯情報端末による盗撮を防止する包装袋である。ここで携帯情報端末とは、携帯電話機、スマートフォン、ＰＤＡ等のことであり、大きさや形状は限定しない。本考案に係る盗撮防止用包装袋は、携帯情報端末を収納する袋状の基本形状を有する。
袋状に構成することによって、携帯情報端末におけるレンズ位置、保護シールが使用されたり、デコレーションによりレンズ周辺に凹凸のある携帯情報端末にフレキシブルに対応することができる。
【００１５】
本考案に係る盗撮防止用包装袋は、背面が正面より上下方向に長く形成された余剰部を有している点に特徴を有する。すなわち、本考案に係る盗撮防止用包装袋は、背面のシートと正面のシートを合掌状に一体成形されているものであり、上端が開口している。そして、背面を形成するシートと正面を形成するシートとは巾長が同じであるが、背面を形成するシートが正面のシートより縦方向に長く形成されている点に特徴を有する。ここでは、背面シートが正面シートより長い部分を余剰部と定義している。
本考案に係る盗撮防止用包装袋は、携帯情報端末を納める際に上部の余剰部が正面側に折り返され、折り返された前記余剰部の背面と正面とを貼り合わせる着脱可能な貼着部が設けられている点に特徴を有する。
このような構成を採用することによって、携帯情報端末を盗撮防止用包装袋に納めて密封することができる。開口部を覆う余剰部が、正面シートに貼り付けられているため、納められた携帯情報端末を盗撮防止用包装袋から開封せずに取り出すことはできない。
そして、このような構成を採用することによって、貼着部が携帯情報端末のレンズ部に当接しないため、使用後に携帯情報端末のレンズ部に汚れや疵を残さないという効果を奏することができる。
【００１６】
本考案に係る盗撮防止用包装袋は、少なくとも携帯情報端末のレンズ部に対応する箇所が半透明又は不透明のシート材によって形成されている点に特徴を有する。
ここで不透明のシート材とは、金属シート、合成樹脂フィルム、パルプシート等が挙げられる。
合成樹脂フィルムとしては、高密度ポリエチレン（ＨＤＰＥ）、低密度ポリエチレン（ＬＤＰＥ）、中密度ポリエチレン（ＭＤＰＥ）、ポリプロピレン（ＰＰ）、ポリエチレンテレフタレート（ＰＥＴ）、ポリ塩化ビニル（ＰＶＣ）、ポリ塩化ビニリデン、ポリスチレン（ＰＳ）、ポリ酢酸ビニル（ＰＶＡｃ）、ポリテトラフルオロエチレン（ＰＴＦＥ）、アクリロニトリルブタジエンスチレン樹脂、ＡＳ樹脂、アクリル樹脂（ＰＭＭＡ）等が挙げられる。前記樹脂によって形成されたフィルムは、未延伸、弱延伸フィルム又は二軸延伸等のプラスチックフィルムであっても良い。好ましくは延伸ポリプロピレン（ＯＰＰ）、ＰＥ、ＰＥＴである。特に好ましくはＯＰＰである。
又、パルプシートとしては、和紙、洋紙、再生紙等が挙げられる。
更に、半透明又は不透明フィルムは、上記合成樹脂フィルム上にグラビア印刷、オフセット印刷又は箔押し印刷などによってインクを印刷することによって得られる。又は、高密度ポリエチレン等の不透明フィルムを使用することもできる。
このような構成を採用することによって、携帯情報端末のレンズ部が半透明又は不透明の材料で覆われる事になるため、カメラ機能付き携帯情報端末による盗撮を防止することができる。
【００１７】
本考案に係る盗撮防止用包装袋は、携帯情報端末の情報表示画面に対応する箇所が透明の合成樹脂フィルムによって形成されていることを特徴とする。
透明の合成樹脂フィルムとしては、前記したプラスチックフィルムのうち、透明のものを用いればよい。
このような構成を採用することによって、包装袋に収めた携帯情報端末における撮影機能のみを無効とし、モニターに表示された情報を外部から読み取る事や、通話機能やタッチパネル機能は使用可能な状態とすることができる。例えば、近年、携帯情報端末自体がチケットとなる電子チケットが利用されるようになっている。このような電子チケットは会場入口に設置された読み取り機に携帯情報端末のモニターをかざして利用される。本考案に係る盗撮防止用包装袋を用いれば、モニター部分は透明の合成樹脂フィルムで形成されているため、電子チケットの機能を利用することができる。又、上述の合成樹脂フィルムで包装袋を形成することにより、よほど厚みを持たせない限り、外部からモニター部分のタッチパネル機能を使用することも可能となる。
本考案に係る盗撮防止用包装袋は、上記半透明又は不透明の合成樹脂フィルムと透明の合成樹脂フィルムを一体として成形し、半透明又は不透明の部分に印刷することによって形成しても良い。この形成方法の方が製造コストが低廉となるため好ましい。
更に、本考案に係る盗撮防止用包装袋は、通信機能を低下させる構造を組み込むことも可能である。
ここで通信機能を低下する構造としては、例えば、包装袋の半透明又は不透明部分をアルミ蒸着し、通信機能を抑止することができる。
【００１８】  本考案に係る盗撮防止用包装袋を袋状に形成する方法として、インフレーション成形を用いても良い。インフレーション成形は、溶かした樹脂を円筒状に押出し、その中に空気を吹き込んで風船のように膨らまして袋状に形成することができる。  その他、本考案に係る盗撮防止用包装袋を袋状に形成する方法として、正面と背面とを下端で連接させて形成し、両側端を背面における余剰部を除いてサイドシールすることによって形成することもできる。例えば、ＰＰやＰＥ等でヒートシール性を有するフィルムを、熱接着により固着することができる。もちろんヒートシール以外のシール方法を使用しても良い。  本考案に係る盗撮防止用包装袋は、前記貼着部を余剰部の裏面に積層された貼着層として形成しても良い。  ここで貼着層としては、シリコーン系、アクリル系、ゴム系、シリカ系、オレフィン系、ウレタン系、エチレン系、エポキシ系等の接着剤又は粘着剤によって形成される。特に再剥離性を有する接着剤又は粘着剤が好ましい。  本考案に係る盗撮防止用包装袋は、半透明又は不透明のシート材の表面に一次元又は二次元の情報コードを印刷しても良い。  ここで情報コードとしては、例えば、バーコード、QRコード（登録商標）、ＳＰコード、ＣＰコード等が挙げられる。  更に、本考案に係る盗撮防止用包装袋は、前記貼着部を剥離した際に正面に糊跡が残るような材料で形成することもできる。すなわち、改竄防止機能を有するシールによって貼着層を形成することができる。例えば、ＶＯＩＤラベル／開封済ラベル（公序良俗違反につき、不掲載）を使用して貼着層を形成すれば、盗撮防止機能をより高めることができる。
【００１９】
以下、本考案に係る盗撮防止用包装袋を図面に則して説明する。
実施形態１
図１は、本考案に係る盗撮防止用包装袋の一実施形態を示す斜視図である。図１に示す如く、本考案に係る盗撮防止用包装袋１０は袋状に形成されており、カメラ機能付き携帯情報端末１による盗撮を防止する包装袋である。  本考案に係る盗撮防止用包装袋１０は、背面２が正面３より上下方向に長く形成された余剰部を有している。本考案に係る盗撮防止用包装袋１０は、背面２と正面３を合掌状に一体成形し上端が開口６している。
図２は、本考案に係る盗撮防止用包装袋を利用した状態を示す図である。（ａ）は背面図、（ｂ）は（ｂ）−（ｂ）矢視断面図である。
図２（ａ）に示す如く、本考案に係る盗撮防止用包装袋１０は、包装袋の背面における、収納された携帯情報端末１の情報表示画面に対応する箇所が透明の合成樹脂フィルムによって形成されている。従って、包装袋１０に収めた携帯情報端末１におけるモニターに表示された情報を外部から読み取る事や、通話機能やタッチパネル機能は使用することができる。
【００２０】
又、図２（ｂ）に示す如く、本考案に係る盗撮防止用包装袋１０は、背面２が正面３より上下方向に長く形成された余剰部７を有している。開口６より、携帯情報端末１を収納した後、上部の余剰部７が正面３側に折り返され、折り返された前記余剰部７の背面２と正面３とを貼り合わせる着脱可能な貼着部８が設けられている。ここで正面３は、半透明又は不透明のシート材によって形成されている。
この状態で、背面２と正面３とを貼着部８によって固着することによって、収納された携帯情報端末１を盗撮防止用包装袋１０から開封せずに取り出すことはできなくなる。
図２（ｂ）に示す如く、携帯情報端末１のレンズ部１２は、半透明又は不透明のシート材に当接していることから、カメラ機能付き携帯情報端末１による盗撮を防止することができる。
そして、このような構成を採用することによって、貼着部８が携帯情報端末１のレンズ部１２に直接当接しないため、使用後に携帯情報端末１のレンズ部１２に汚れや疵を残すことがない。
【００２１】
実施形態２
図３は、本考案に係る盗撮防止用包装袋の実施形態２を示す一部正面図である。
図３に示す如く、本実施形態２に係る盗撮防止用包装袋は、折り返された余剰部１７の端部にQRコード（登録商標）が印刷されたシール１８が貼られている。このようにして貼着部を形成しても良い。
【００２２】
実施形態３
図４は、本考案に係る盗撮防止用包装袋の実施形態３を示す包装袋の展開図である。図４に示す如く、本実施形態３に係る盗撮防止用包装袋２０は、半透明又は不透明の部分２２，２３と、透明の部分２４は一体成形されており、半透明又は不透明の部分２２、２３に印刷が施されている。
又、本実施形態３に係る盗撮防止用包装袋２０は、正面１３と背面１２との下端が連接しており、正面１３のＨ１及びＨ３を、背面１２のＨ２及びＨ４とを夫々サイドシールすることによって形成される。
本実施形態３においては、半透明又は不透明の部分２３である背面１２にバーコードのシールが付されている。
バーコードは種々の目的で使用できるが、本実施形態では、図５及び図６に則して個人情報管理システムとしての使用を説明する。
個人情報管理システムは、図示しない管理サーバ、端末装置、コードリーダー、インターネットを介して、互いに通信可能に接続されている。
【００２３】
図５は、図４に示した情報コードの使用態様を説明するブロック図である。
図５に示す如く、端末３０は、個人情報管理システムを管理するユーザにより操作されるＰＣ（パーソナルコンピュータ）等である。端末３０にはブラウザがあり、インターネット接続機能を有し、管理サーバに記録されている個人情報を表示部に表示することができる。
端末３０は、図５に示す如く、通信部３１、記憶部３２、操作部３３、表示部３４、コード読取部３５、制御部３６を備えている。
通信部３１は、アンテナや優先通信デバイス等を備え、インターネット５０を介して、管理サーバと各種の情報を送受信する。
記憶部３２は、ＲＡＭ、ＲＯＭ等の記憶装置によって構成され、各種固定データや各種プログラム、及び端末３０の表示部３４に表示する各種画面のテンプレートが記録されている。
操作部３３はキーボード等から構成され、ユーザからの操作に対応した操作信号を制御部３６に送信する。表示部３４は、モニタ及びドライバ回路等から構成され、管理サーバが管理するサイトの画面や利用者の個人情報等を表示する。
コード読取部３５は、スキャナ又はカメラ等を備え、図４に示される盗撮防止用包装袋２０のQRコード（登録商標）２８を読み取り、読み取ったQRコード（登録商標）に関連付けられた情報を操作部３３を介して入力し、管理サーバへ送信することができる。
【００２４】
図６は、図４に示した情報コードの使用態様を説明するフローチャートである。
図６に示す如く、端末３０により、携帯情報端末を格納した盗撮防止用包装袋に付されたQRコード（登録商標）をコード読取部によってコードを読み取る（Ｓ１）。その後、操作部のキーボードを使用しユーザが盗撮防止用包装袋の利用者の氏名、携帯情報端末の種類、貸出時間等を入力する。この際、事前にコード化された盗撮防止用包装袋自体に振られた番号も自動で入力される。これらの情報は管理サーバへ送信される（Ｓ２）。
管理サーバでは、送信されてきた個人情報を受信し（Ｓ３）、情報閲覧画面を作成する（Ｓ４）。その後、盗撮防止用包装袋の返却時に再度QRコード（登録商標）を端末のコード読取部によって読み取る（Ｓ５）。読み取れたコードは管理サーバへ送信される（Ｓ６）。管理サーバは送信されたコード情報を照会する（Ｓ７）。照会された個人情報について情報閲覧画面を端末へ送信する（Ｓ８）。端末は情報閲覧画面を受信し（Ｓ９）、表示部のモニタに表示される（Ｓ１０）。表示された情報閲覧画面に基づいて、貸し出された盗撮防止用包装袋と合致しているか確認して終了する。
【符号の説明】
【００２５】
１    携帯情報端末
２，１２  背面
３，１３  正面
６    開口
７，１７  余剰部
８    貼着部
１０，２０  盗撮防止用包装袋
１２  レンズ部
２２，２３  半透明又は不透明の部分
２４  透明の部分
【図１】
0003189951.tif 000003
【図２】
0003189951.tif 000004
【図３】
0003189951.tif 000005
【図４】
0003189951.tif 000006
【図５】
0003189951.tif 000007
【図６】
0003189951.tif 000008
【手続補正書】
【提出日】平成26年1月28日(2014.1.28)
【手続補正１】
【補正対象書類名】明細書
【補正対象項目名】００１８
【補正方法】変更
【補正の内容】
【００１８】
本考案に係る盗撮防止用包装袋を袋状に形成する方法として、インフレーション成形を用いても良い。インフレーション成形は、溶かした樹脂を円筒状に押出し、その中に空気を吹き込んで風船のように膨らまして袋状に形成することができる。
その他、本考案に係る盗撮防止用包装袋を袋状に形成する方法として、正面と背面とを下端で連接させて形成し、両側端を背面における余剰部を除いてサイドシールすることによって形成することもできる。例えば、ＰＰやＰＥ等でヒートシール性を有するフィルムを、熱接着により固着することができる。もちろんヒートシール以外のシール方法を使用しても良い。
本考案に係る盗撮防止用包装袋は、前記貼着部を余剰部の裏面に積層された貼着層として形成しても良い。
ここで貼着層としては、シリコーン系、アクリル系、ゴム系、シリカ系、オレフィン系、ウレタン系、エチレン系、エポキシ系等の接着剤又は粘着剤によって形成される。特に再剥離性を有する接着剤又は粘着剤が好ましい。
本考案に係る盗撮防止用包装袋は、半透明又は不透明のシート材の表面に一次元又は二次元の情報コードを印刷しても良い。
ここで情報コードとしては、例えば、バーコード、QRコード（登録商標）、ＳＰコード、ＣＰコード等が挙げられる。
更に、本考案に係る盗撮防止用包装袋は、前記貼着部を剥離した際に正面に糊跡が残るような材料で形成することもできる。すなわち、改竄防止機能を有するシールによって貼着層を形成することができる。例えば、ＶＯＩＤラベル／開封済ラベルを使用して貼着層を形成すれば、盗撮防止機能をより高めることができる。